(57)【要約】【課題】本発明は、洗浄性能と不燃性を維持しながら、揮発抑制による作業環境改善、コスト低減を達成する新規な洗浄用溶剤組成物を提供することを目的とする。【解決手段】本発明は、（ａ）臭素系溶剤、（ｂ）グリコールエーテル、及び（ｃ）ｐＨ調整剤を含有してなり、ｐＨ６以上であることを特徴とする洗浄用溶剤組成物を提供する。【選択図】なし【特許請求の範囲】
【請求項１】
（ａ）臭素系溶剤、
（ｂ）グリコールエーテル、及び
（ｃ）ｐＨ調整剤を含有してなり、
ｐＨ６以上であることを特徴とする洗浄用溶剤組成物。
【請求項２】
臭素系溶剤がｎ−プロピルブロマイドである、請求項１に記載の洗浄用溶剤組成物。
【請求項３】
ｐＨ調整剤が苛性アルカリ、アンモニアアルカリ、４級アミンの水酸化物、これらの水溶液及びアルカリ電解水からなる群より選ばれる、請求項１に記載の洗浄用溶剤組成物。
【請求項４】
さらに、アミン化合物を含有してなる請求項１又は２に記載の洗浄用溶剤組成物。
【請求項５】
さらに、エポキシドを含有してなる請求項１〜３のいずれか１項に記載の洗浄用溶剤組成物。
【請求項６】
さらに、ニトロアルカンを含有してなる請求項１〜４のいずれか１項に記載の洗浄用溶剤組成物。
【発明の詳細な説明】
【技術分野】
【０００１】
本発明は、フロンや塩素系溶剤の代替溶剤として使用する洗浄用溶剤組成物に関するものである。
【背景技術】
【０００２】
フロンや塩素系溶剤は、これまで広範に使用されていきたが、近年の環境問題からその使用が制限されており、これらに替わる優れた洗浄溶剤の１つとして臭素系溶剤が使用されるようになっている（特開平６−２２０４９４号公報）。しかし、臭素系溶剤は、塩素系溶剤に比べ自然揮発性は低いものの原料コストが高いデメリットがあった。さらに、作業環境改善の推進も要求されるようになっている。よって、コスト低減と作業環境改善のためにも、さらに揮発性の抑制と原料コストの低減が必要になっている。
【先行技術文献】
【特許文献】
【０００３】
【特許文献１】特開平６−２２０４９４号公報
【発明の概要】
【発明が解決しようとする課題】
【０００４】
本発明は、洗浄性能と不燃性を維持しながら、揮発抑制による作業環境改善、コスト低減を達成する新規な洗浄用溶剤組成物を提供することを目的とする。
【課題を解決するための手段】
【０００５】
本発明者らは、コスト低減と作業環境改善のために種々検討した結果、臭素化合物の一部を臭素系溶剤よりも沸点の高いグリコールエーテルに置き換えることによって、洗浄性と不燃性を維持しながら自然蒸発量を大幅に抑制できることを見出した。さらに、それにともなって、洗浄剤のコスト低減も図れるとの知見を得た。本発明は、このような知見に基づいてなされたものである。すなわち、本発明は、（ａ）臭素系溶剤、（ｂ）グリコールエーテル、及び（ｃ）ｐＨ調整剤を含有してなり、ｐＨ６以上であることを特徴とする洗浄用溶剤組成物を提供する。
【発明の効果】
【０００６】
本発明によれば、洗浄性能と不燃性を維持しながら、揮発抑制による作業環境改善、コスト低減を達成する洗浄用溶剤組成物を提供できる。
【発明を実施するための形態】
【０００７】
本発明の洗浄用溶剤組成物は、（ａ）臭素系溶剤、（ｂ）グリコールエーテル、及び（ｃ）ｐＨ調整剤を含有してなり、ｐＨ６以上であることを特徴とする。
（ａ）臭素系溶剤としては、ｎ−プロピルブロマイド、イソプロピルブロマイド、ｎ−ブチルブロマイド、イソブチルブロマイド、sec-ブチルブロマイド、ｎ−アミルブロマイド、ｎ−ヘキシルブロマイドなどが挙げられるがこれに限定されない。これらの臭素系溶剤は、単独で使用してもよく、又は２種以上を混合して使用してもよい。好ましい臭素系溶剤は、ｎ−プロピルブロマイド、イソプロピルブロマイドであり、最も好ましい臭素系溶剤はｎ−プロピルブロマイドである。
（ｂ）グリコールエーテルとしては、アルキレングリコールアルキルエーテル、アルキレングリコールアルキルエーテルアセタートなどが挙げられるがこれに限定されない。好ましくは、モノ、ジ乃至トリ低級アルキレングリコールモノ乃至ジ低級アルキルエーテル、又はモノ、ジ乃至トリ低級アルキレングリコールモノ乃至ジ低級アルキルエーテルアセタートである。前記低級アルキレンとしては、例えば炭素数２〜４のアルキレンであり、具体的にはエチレン、プロピレン、ブチレンなどが挙げられ、プロピレンが好ましい。又、低級アルキルとしては、例えば炭素数１〜４のアルキルであり、具体的にはメチル、エチル、プロピル、ブチルなどが挙げられ、メチル、エチル、プロピルが好ましい。このようなグリコールエーテルはグリコールエーテル系溶剤として公知である。グリコールエーテルは、具体的には、例えばプロピレングリコールモノメチルエーテルアセテート、プロピレングリコールモノプロピルエーテル、プロピレングリコールモノブチルエーテル、ジプロピレングリコールモノメチルエーテル、ジプロピレングリコールモノプロピルエーテル、ジエチレングリコールジメチルエーテル、ジエチレングリコールジブチルエーテル、ジエチレングリコールメチルエチルエーテル、トリエチレングリコールジメチルエーテル、ジプロピレングリコールジメチルエーテル、ジエチレングリコールジエチルエーテルなどが挙げられるがこれに限定されない。これらのグリコールエーテルは、単独で使用してもよく、又は２種以上を混合して使用してもよい。好ましいグリコールエーテルはモノ乃至ジプロピレングリコールモノ乃至ジアルキルエーテルである。
本発明の洗浄用溶剤組成物における（ａ）臭素系溶剤の配合割合は、（ａ）臭素系溶剤及び（ｂ）グリコールエーテルの合計容量を基準として、好ましくは１０〜８０容量％であり、より好ましくは４０〜６０容量％である。
【０００８】
（ｃ）ｐＨ調整剤としては、苛性アルカリ、アンモニアアルカリ、４級アミンの水酸化物及びこれらの水溶液、並びにアルカリ電解水などが挙げられるがこれに限定されない。苛性アルカリとしては、具体的には、例えば苛性ソーダ、苛性カリ、炭酸ソーダ、炭酸カリなど、及びこれらの水溶液が挙げられるがこれに限定されない。アンモニアアルカリとしては、具体的には、例えばアンモニア、炭酸アモニウムなど、及びこれらの水溶液が挙げられるがこれに限定されない。４級アミンの水酸化物としては、具体的には、例えばテトラメチルアンモニウムハイドロオキサイド（ＴＭＡＨ）、テトラエチルアンモニウムハイドロオキサイド（ＴＥＡＨ）、テトラブチルアンモニウムハイドロオキサイドなどのテトラアルキルアンモニウムハイドロオキサイドなど、及びこれらの水溶液が挙げられるがこれに限定されない。アルカリ電解水は、具体的には、例えば塩化ナトリウム、硫酸ナトリウム、塩化カリウム、硫酸カリウム、塩化アンモニウム、硫酸アンモニウムなどの電解質を添加した水を電気分解し、陰極側から得られたアルカリ性を示す水であるが、水に添加することができる電解質はこれらに限定されない。上記ｐＨ調整剤は、単独で使用してもよく、又は２種以上を混合して使用してもよい。好ましいｐＨ調整剤は、苛性アルカリ、アンモニアアルカリ、４級アミンの水酸化物及びこれらの水溶液である。上記ｐＨ調整剤は、洗浄用溶剤組成物のｐＨが６以上になる濃度で含有される。洗浄用溶剤組成物のｐＨは、好ましくは７〜１０であり、より好ましくは７〜８である。
【０００９】
臭素系溶剤の場合には、微量の水が混入した場合でも被洗浄物に錆びが発生するという問題があった。しかし、本発明の洗浄用溶剤組成物においては、臭素系溶剤にグリコールエーテルを併用し、かつ、ｐＨ調整剤を用いて組成物のｐＨを６以上にしたことによって、錆びの発生を抑制できることも判明した。
【００１０】
本発明の洗浄用溶剤組成物には、さらにモノエタノールアミン、ジエタノールアミン、トリエタノールアミン、ジイソプロピルアミン、エチレンジアミン、ジエチレントリアミン、ピぺラジン、１‐メチルイミダゾールなどのアミン化合物を添加してもよい。これらのアミン化合物は、単独で使用してもよく、又は２種以上を混合して使用してもよい。好ましいアミン化合物は、トリエタノールアミン、ジイソプロピルアミンである。アミン化合物の添加量は、洗浄用溶剤組成物の総重量を基準として、好ましくは０．１〜１５重量％、より好ましくは０．５〜１０重量％、最も好ましくは１〜５重量％である。
また、本発明の洗浄用溶剤組成物には、エピクロルヒドリン、プロピレンオキサイド、ブチレンオキサイド、シクロヘキセンオキサイド、グリシジルメチルエーテル、グリシジルメタクレート、ペンテンオキサイド、シクロペンテンオキサイド、シクロヘキセンオキサイドなどのエポキシドを添加してもよい。これらのエポキシドは、単独で使用してもよく、又は２種以上を混合して使用してもよい。好ましいエポキシドは、エピクロルヒドリン、プロピレンオキサイド、ブチレンオキサイドである。エポキシドの添加量は、洗浄用溶剤組成物の総重量を基準として、好ましくは０．１〜１５重量％、より好ましくは０．５〜１０重量％、最も好ましくは１〜５重量％である。
また、本発明の洗浄用溶剤組成物には、ニトロメタン、ニトロエタン、１−ニトロプロパン、２−ニトロプロパンなどのニトロアルカンを添加してもよい。これらのニトロアルカンは、単独で使用してもよく、又は２種以上を混合して使用してもよい。好ましいニトロアルカンは、ニトロメタン、ニトロエタンである。ニトロアルカンの添加量は、洗浄用溶剤組成物の総重量を基準として、好ましくは０．１〜１５重量％、より好ましくは０．５〜１０重量％、最も好ましくは１〜５重量％である。
なお、本発明の洗浄用溶剤組成物において、上記アミン化合物、エポキシド及びニトロアルカンの合計添加量は、好ましくは１〜１５重量％である。
【００１１】
本発明の洗浄用溶剤組成物は、水が混入した場合でも著しい洗浄力の低下もなく被洗浄物にも錆び発生のない、安定性に優れた洗浄用溶剤組成物である。本発明の洗浄用溶剤組成物は、環境対応、コスト低減用として精密部品、自動車部品、家電部品等などの各種金属加工品や電子部品などの洗浄用に極めて好適に使用できる。
次に、実施例および比較例を示して本発明を説明する。
【実施例】
【００１２】
（実施例１）
体積比が５０：５０のｎ−プロピルブロマイド（ＮＰＢ）及びプロピレングリコールモノプロピルエーテル（ＰＦＧ）からなる溶剤組成物に、ＮａＯＨ（０．１ｇ／Ｌ）を用いて溶剤組成物のｐＨを７〜８に調整した。この溶剤組成物に、さらに１０ｍｌ／Ｌの水を添加して使用した。
【００１３】
（実施例２）
ＮａＯＨ（０．２ｇ／Ｌ）を用いて溶剤組成物のｐＨを８〜９に調整したこと以外は、実施例１と同様にして溶剤組成物を調製した。
【００１４】
（実施例３）
２５％アンモニア水（０．１ｍｌ／Ｌ）を用いて溶剤組成物のｐＨを６〜７に調整したこと以外は、実施例１と同様にして溶剤組成物を調製した。
【００１５】
（実施例４）
２５％アンモニア水（０．３ｍｌ／Ｌ）を用いて溶剤組成物のｐＨを７〜８に調整したこと以外は、実施例１と同様にして溶剤組成物を調製した。
【００１６】
（実施例５）
２５％アンモニア水（１ｍｌ／Ｌ）を用いて溶剤組成物のｐＨを８〜９に調整したこと以外は、実施例１と同様にして溶剤組成物を調製した。
【００１７】
（実施例６）
２５％ＴＭＡＨ水（０．５ｍｌ／Ｌ）を用いて溶剤組成物のｐＨを８〜９に調整したこと以外は、実施例１と同様にして溶剤組成物を調製した。
【００１８】
（比較例１）
ｎ−プロピルブロマイド（ＮＰＢ）を主成分とするＳＣ−５２（ディップソール社製）を使用した。
【００１９】
（比較例２）
ＳＣ−５２に１ｍｌ／Ｌの水を添加して使用した。
【００２０】
（比較例３）
ＳＣ−５２に１０ｍｌ／Ｌの水を添加して使用した。
【００２１】
実施例１〜６及び比較例１〜３について、引火点、洗浄力、自然蒸発量及び錆の発生を試験した。それぞれの試験方法は次の通りである。
引火点        ：タグ密閉式
洗浄力試験    ：予め清浄したＳＰＣＣ軟鋼板（５０×７０×０．５ｍｍ）にエリクセンで円形のクボミを付け、クボミ箇所にプレス油（日本工作油＃６４０）を塗布（付着量１５００ｍｇ／ｄｍ2）して試験片を作製した。この試験片を各溶剤組成物に室温で３分浸漬して洗浄した。洗浄後、乾燥して、重量法により残存油分量を測定した。残存油分量がＳＣ−５２Ｓと同等の２ｍｇ／ｄｍ2未満である場合に、脱脂洗浄力が良好とした。
２ｍｇ／ｄｍ2以上  ×
２ｍｇ／ｄｍ2未満  ○
自然蒸発量試験：５０ｍＬビーカー（開口面積：１３．８ｃｍ2）に各溶剤組成物５０ｍＬを入れ、室温で６時間放置し、揮発量を容量で測定した。
錆び試験      ：予め清浄したＳＰＣＣ軟鋼板（５×１０×０．５ｍｍ）を各溶剤組成物に室温で１００時間浸漬した後、錆の発生を調べた。
錆なし  ○
錆あり  ×
【００２２】
【表１】
2013221080.tif 000002
【００２３】
【表２】
2013221080.tif 000003